(57)【要約】【課題】  貯水槽（雨水貯留槽）の蓋が垂直ブロックから外れ難い上に蓋の受け強度が大きく、大きな荷重に耐えることができること。【解決手段】  貯水槽１０の複数の垂直ブロック４０は、異なる方向に一体に延びる少なくとも２つの羽根形の垂直壁４０Ｗから成っていて底床敷設部２０の上に間隔をあけて取り付けられ、蓋パネル５０は、隣り合う垂直ブロック４０上に又は１つの垂直ブロック４０の上にあってその垂直壁４０Ｗの上面に斜めに載っている。【選択図】図４
2011122302.tif 000002
【特許請求の範囲】
【請求項１】
床底敷設部と、前記床底敷設部に起立して支持される複数の垂直ブロックと、前記垂直ブロックの上面に載せられる蓋パネルとから成る貯水槽において、前記複数の垂直ブロックは、異なる方向に一体に延びる少なくとも２つの羽根形の垂直壁から成っていて前記床底敷設部上に間隔をあけて支持され、前記蓋パネルは、隣り合う垂直ブロックの羽根形の垂直壁に跨ってその垂直壁上に支持されていることを特徴とする貯水槽を提供することにある。
【請求項２】
床底敷設部と、前記床底敷設部に起立して支持される複数の垂直ブロックと、前記垂直ブロックの上面に載せられる蓋パネルとから成る貯水槽において、前記複数の垂直ブロックは、異なる方向に一体に延びる少なくとも２つの羽根形の垂直壁から成っていて前記蓋パネルは、１つ又は複数の垂直ブロックの羽根形の垂直壁上に支持されていることを特徴とする貯水槽。
【請求項３】
請求項１又は２に記載の貯水槽であって、前記複数の垂直ブロックは、放射方向に延びる４つの羽根形の垂直壁を有する「Ｘ字又は十字」状の垂直ブロックと、水平断面で「Ｔ字」状に連続する３つの羽根形の垂直壁を有する垂直ブロックと、水平断面で「Ｌ字」状に連続する２つの羽根形の垂直壁を有する垂直ブロックとのいずれか１つ又は２つ以上の組み合わせであることを特徴とする貯水槽。
【請求項４】
請求項１乃至３のいずれかに記載の貯水槽であって、前記垂直ブロックの垂直壁は、下方に水が貫流する貫水孔を有することを特徴とする貯水槽。
【請求項５】
請求項４に記載の貯水槽であって、前記貫水孔は、前記垂直ブロックの複数の垂直壁の交差部に設けられていることを特徴とする貯水槽。
【請求項６】
請求項４に記載の貯水槽であって、前記貫水孔は、前記垂直ブロックの各垂直壁には独立してアーチ状に形成されていることを特徴とする貯水槽。
【請求項７】
請求項１乃至６のいずれかに記載の貯水槽であって、前記垂直ブロックと底床敷設部とは一体に形成されていることを特徴とする貯水槽。
【請求項８】
複数の垂直ブロックと前記垂直ブロックの上面に載せられるべき蓋パネルとを含む貯水槽用組立て部品において、前記垂直ブロックは、前記蓋パネルが斜めに載るように異なる方向に一体に延びる少なくとも２つの羽根形の垂直壁から成っていることを特徴とする貯水槽用組立て部品。
【請求項９】
請求項８に記載の貯水槽用組立て部品であって、前記複数の垂直ブロックは、放射方向に延びる４つの羽根形の垂直壁を有する「Ｘ字」状の垂直ブロックと、水平断面で「Ｔ字」状に連続する３つの羽根形の垂直壁を有する垂直ブロックと、水平断面で「Ｌ字」状に連続する２つの羽根形の垂直壁を有する垂直ブロックとのいずれか１つ又は２つ以上の組み合わせであることを特徴とする貯水槽用組立て部品。
【請求項１０】
請求項８又は９に記載の貯水槽用組立て部品であって、前記垂直ブロックの垂直壁は、下方に水が貫流する貫水孔を有することを特徴とする貯水槽用組立て部品。
【請求項１１】
請求項１０に記載の貯水槽用組立て部品であって、前記貫水孔は、前記垂直ブロックの複数の垂直壁の交差部に設けられていることを特徴とする貯水槽用組立て部品。
【請求項１２】
請求項１０に記載の貯水槽用組立て部品であって、前記貫水孔は、前記垂直ブロックの各垂直壁には独立してアーチ状に形成されていることを特徴とする貯水槽用組立て部品。
【請求項１３】
請求項７乃至１２のいずれかに記載の貯水槽用組立て部品であって、前記垂直ブロックと蓋ブロックとは一体に形成されていることを特徴とする貯水槽用組立て部品。
【発明の詳細な説明】
【技術分野】
【０００１】
本発明は、雨水等の水を貯留する貯水槽及びこの貯水槽の組立に用いられる貯水槽用組立て部品に関するものである。
【背景技術】
【０００２】
雨水貯留槽の如き貯水槽は、一般に、平面的な垂直壁とこの垂直壁の上下端に水平受け壁とを有する複数の垂直ブロックと、隣り合う垂直ブロックの水平受け壁に跨って載せられる蓋パネルとから成っており、従って貯水槽は、略箱形の形態となっている（特許文献１及び２参照）。
【０００３】
貯水槽が３つ以上の垂直ブロックから成っている場合には、両側の垂直ブロックの上下の水平受け壁は、垂直壁の上面から上下とも一方の同じ方向に延び（例えば、特許文献１の図５参照）、中間の垂直ブロックの上下の水平受け壁は、垂直壁の上面から左右に延びている（例えば、特許文献１の図４参照）。
【０００４】
しかし、このような構造の貯水槽は、蓋パネルが垂直ブロックの上の水平受け壁に載っているだけであるので、垂直ブロックから外れ易かったり、蓋パネルの受け面が小さいため、蓋パネルの受け強度が弱く、この傾向は、垂直ブロックの相互の間隔を大きくすると、一層顕著になるので、垂直ブロックの相互の間隔を大きくすることができないために、幅広の貯水槽を組み立てようとすると、多数の垂直ブロックが必要となって組立作業が面倒で組立時間が長くなり、貯水槽を安価に組み立てることができない欠点があった。
【先行技術文献】
【特許文献】
【０００５】
【特許文献１】特開平６−２９９５９１号公報
【特許文献１】特開平８−４１９５８号公報
【発明の概要】
【発明が解決しようとする課題】
【０００６】
本発明が解決しようとする第１の課題は、蓋パネルが垂直ブロックから外れ難い上に蓋パネルの受け強度が大きく、大きな荷重に耐えることができる貯水槽を提供することにある。
【０００７】
本発明が解決しようとする第２の課題は、少ない数の垂直ブロックでも大きな容量で組み立てることができる貯水槽を提供することにある。
【０００８】
本発明が解決しようとする第３の課題は、蓋パネルが垂直ブロックから外れ難い上に蓋パネルの受け強度が大きく、大きな蓋パネルでも適切に受止めることができる貯水槽用組立て部品を提供することにある。
【０００９】
本発明が解決しようとする第４の課題は、少ない数の垂直ブロックでも大きな容量で組み立てることができる貯水槽用組立て部品を提供することにある。
【課題を解決するための手段】
【００１０】
本発明の第１の課題解決手段は、床底敷設部と、前記床底敷設部に起立して支持される複数の垂直ブロックと前記垂直ブロックの上面に載せられる蓋パネルとから成る貯水槽において、前記床底敷設部の周縁に取り付けられる周壁ブロックを更に含み、前記複数の垂直ブロックは、異なる方向に一体に延びる少なくとも２つの羽根形の垂直壁から成っていて前記床底敷設部上に間隔をあけて支持され、前記蓋パネルは、隣り合う垂直ブロックの羽根形の垂直壁に跨ってその垂直壁上に支持されていることを特徴とする貯水槽を提供することにある。
【００１１】
本発明の第２の課題解決手段は、床底敷設部と、前記床底敷設部に起立して支持される複数の垂直ブロックと前記垂直ブロックの上面に載せられる蓋パネルとから成る貯水槽において、前記床底敷設部の周縁に取り付けられる周壁ブロックを更に含み、前記複数の垂直ブロックは、異なる方向に一体に延びる少なくとも２つの羽根形の垂直壁から成っていて前記蓋パネルは、１つ又は複数の垂直ブロックの羽根形の垂直壁上に支持されていることを特徴とする貯水槽を提供することにある。
【００１２】
本発明の第１又は第２の課題解決手段において、垂直ブロックは、放射方向に延びる４つの羽根形の垂直壁を有する形態のものと、水平断面で「Ｔ字」形に連続する３つの羽根形の垂直壁を有する形態のものと、水平断面で「Ｌ字又はＶ字」形に延びる２つの羽根形の垂直壁を有する形態のものとのいずれか１つ又は２つ以上の組み合わせを使用するのが好ましい。
【００１３】
本発明の第１又は第２の課題解決手段において、垂直ブロックの垂直壁は、下方に水が貫流する貫水孔を有するのが好ましく、この貫水孔は、複数の垂直壁の交差部に設けられていてもよいし、各垂直壁に独立してアーチ状に形成されていてもよい。
【００１４】
本発明の第３の課題解決手段は、床底敷設部に起立して支持されるべき複数の垂直ブロックと前記垂直ブロックの上面載せられるべき蓋パネルとを含む貯水槽用組立て部品において、前記床底敷設部の周縁に取り付けられるべき周壁ブロックを更に含み、前記垂直ブロックは、前記蓋パネルが載るように異なる方向に一体に延びる少なくとも２つの羽根形の垂直壁から成っていることを特徴とする貯水槽用組立て部品を提供することにある。
【００１５】
本発明の第３の課題解決手段において、垂直ブロックは、放射方向に延びる４つの羽根形の垂直壁を有する形態のものと、水平断面で「Ｔ字」形に連続する３つの羽根形の垂直壁を有する形態のものと、水平断面で「Ｌ字またはＶ字」形に連続する２つの羽根形の垂直壁を有する形態のものとのいずれか１つ又は２つ以上の組み合わせを使用するのが好ましい。
【００１６】
本発明の第３の課題解決手段において、垂直ブロックの垂直壁は、下方に水が貫流する貫水孔を有するのが好ましく、特にこの貫水孔は、複数の垂直壁の交差部に設けられていてもよいし、各垂直壁に独立してアーチ状に形成されていてもよい。
【発明の効果】
【００１７】
本発明によれば、垂直ブロックは、異なる方向に延びる少なくとも２つの羽根形の垂直壁を有するので、その上に載って槽を閉じる蓋パネルは、この羽根形の垂直壁に対角方向の如き斜め方向に載ることになるため、蓋パネルの辺縁ではなく辺縁から奥深い位置まで食い込んで垂直壁に受け止められるので、蓋ブロックを安定状態で垂直ブロックに支持することができ、平面的な１枚の垂直壁を有するにすぎない２つの垂直ブロックに跨って蓋パネルを載せる従来技術で生ずるような蓋パネルの外れを生ずることがない上に、蓋パネルの受け強度が大きくなり、蓋パネルの上に大きな荷重が掛ってもそれに充分に耐えることができる。
【００１８】
また、垂直ブロックは、平面的ではなく、放射状又はこれに近い形態であるので、複数の垂直ブロックを適宜の大きな間隔で配置することができ、従って少ない数の垂直ブロックを用いて大きな容量の貯水槽を組み立てることができる。
【００１９】
更に、垂直ブロックは、放射方向に延びる羽根形の垂直壁を有するので、底床敷設部に安定状態で支持することができ、貯水槽の組立て作業を容易に行うことができる上に、垂直ブロックは、横方向だけではなく、縦方向にも間隔をあけて配置することができるため、全体的に垂直ブロックの数が少なくて済み、少ない部品数で大きな容量の貯水槽を経済的に組み立てることができる。
【図面の簡単な説明】
【００２０】
【図１】本発明の１つの実施の形態による貯水槽（雨水貯留槽）の一部を示す垂直断面図である。
【図２】図１の貯水槽の上面図である。
【図３】図１の貯水槽の蓋パネルを取り外した状態の上面図である。
【図４】図３と同じ状態の一部の斜視図である。
【図５】図１の貯水槽に用いられる３つの異なる垂直ブロックの斜視図である。
【図６】図５（Ａ）の垂直ブロックの２つの異なる変形例の斜視図である。
【図７】図６（Ｂ）の垂直ブロックに類似しているが、蓋ブロックが一体に成形されて組み立てられた貯水槽の一部分の斜視図である。
【発明を実施するための形態】
【００２１】
本発明の１つの実施の形態を図１乃至図５を参照して詳細に述べると、図１乃至図４は、典型的には、雨水貯留槽である本発明に係わる貯水槽１０を示し、この貯水槽１０は、地中Ｇの掘穴の底（地面）ＧＢに現場でコンクリート又はＦＲＰ強化プラスティックによって敷設されて形成された底床敷設部２０と、この底床敷設部２０の周縁２０Ｆに取り付けられる周壁ブロック３０と、底床敷設部２０の上に支持して取り付けられる複数の垂直ブロック４０と、隣り合う垂直ブロック４０の上面４０Ｕに跨って載せられる蓋パネル５０とから成っている。周壁ブロック３０、垂直ブロック３０及び蓋パネル５０は、コンクリート又はＦＲＰ強化プラスティックから成形される。図示の形態では、図１から解るように、蓋パネル５０が地表面よりも低い位置にあって、貯水槽１０の全体が地中に埋まるように、蓋パネル５０の上に土が被せられるが、蓋パネル５０が地表面と同じかそれに近い高さ位置にして蓋パネル５０を露出してもよい。
【００２２】
図示の例では、底床敷設部２０は、現場でコンクリート等で敷設して形成されるが、複数の底床パネルを敷いて隣り合う底床パネルの隙間をセメント又はモルタルで止水状態に接合して形成してもよい。
【００２３】
周壁ブロック３０は、底床敷設部２０の周縁２０Ｆに垂直に接合して取り付けられる。これらの周壁ブロック３０は、図示しない埋め込みねじ筒を有して底床敷設部２０を貫通するヘッド付きねじで底床敷設部に接合することができるが、その接合構造は、他の任意の手段とすることができる。この接合構造の詳細な説明は省略する。
【００２４】
複数の垂直ブロック４０は、図２乃至図５に示すように、異なる方向に一体に延びる（又は連続する）少なくとも２つの羽根（４０Ｂ）形の垂直壁４０Ｗから成っており、底床敷設部２０上に縦横に間隔をあけて取り付けられている。なお、異なる方向の羽根形の複数の垂直壁４０Ｗは、図３に示すように、その隣り合う羽根の相互の角度間隔が１８０°の角度以外の角度であるのが好ましい。図示の実施例では、図３に示すように、これらの複数の垂直ブロック４０は、放射方向に延びる４つの羽根形の垂直壁４０Ｗを有する「Ｘ字」状又は「十字」状の形態の垂直ブロック４０Ｘ（図５（Ａ）参照）と、水平断面で「Ｔ」字形に連続する３つの羽根形の垂直壁４０Ｗを有する形態の「Ｔ字」形の垂直ブロック４０Ｔ（図５（Ｂ）参照）と、水平断面で「Ｌ字又はＶ字形」に連続する２つの羽根形の垂直壁４０Ｗを有する形態の垂直ブロック４０Ｌ（図５（Ｃ）参照）とを含んでいる。
【００２５】
「Ｘ字」状又は「十字」状の垂直ブロック４２は、図２乃至図４に示すように、底床敷設部２０上で周壁ブロック３０から離れた位置に配置され、「Ｔ」字状の垂直ブロック４０Ｔは、底床敷設部２０上で周壁ブロック３０の隅部３０Ｃに脚部４０ＴＬが位置するように配置されるか、同じく周壁ブロック３０のへこみ状の隅部３０Ｃに水平頂部４０ＴＨが位置するように配置され、また「Ｌ又はＶ」字状の垂直ブロック４０Ｌは、底床敷設部２０上で周壁ブロック３０の平面部に位置するように配置される。従って、「Ｔ字」状及び「Ｌ字」状の垂直パネル４０Ｔ、４０Ｌは、周壁ブロック３０側に位置する周側用の垂直パネルとして機能し、「Ｘ字」状又は「十字」状の垂直ブロック４０Ｘは、周壁ブロック３０から離れた中間の垂直ブロックとして機能するが、図２の右下側に示す「Ｘ字」状の垂直ブロック４０Ｘは、周壁ブロック３０の隅部３０Ｃに位置させてあって周側用の垂直パネルとしても使用されている。
【００２６】
蓋パネル５０は、図示の形態では、正方形の形態を有し、各蓋パネル５０は、図２及び図３に示すように、４つの垂直パネル４０に跨ってこれらの垂直パネル４０の羽根形の垂直壁４０Ｗの上壁４０Ｕに載せられる。図示の形態では、中間の「Ｘ」字状の垂直ブロック４０Ｘの各羽根形の垂直壁４０Ｗには４つの蓋パネル５０の各隅部が載っており、周側の「Ｌ又はＶ」字形の垂直ブロック４０Ｌの各羽根形垂直壁４０Ｗには２つの蓋ブロック５０の各１つの隅部が載っており、また隅側の「Ｔ字」状の垂直ブロック４０Ｔのすべての羽根形の垂直壁４０Ｗの上に１つの蓋ブロックの隅部が載っている。例外的に、右下の隅及び右上の隅の「Ｘ字」状の垂直ブロック４０Ｘ及び「Ｌ又はＶ字」状の垂直ブロック４０Ｌには、１つの蓋ブロックの１つの隅部が載っており、また左下の逆Ｌ字形隅部の頂点側の「Ｔ字」状の垂直ブロック４０Ｔの各羽根形の垂直壁４０Ｗには３つの蓋ブロック５０の各１つの隅部が載っている。蓋パネル５０のこれらの載置状態から、蓋ブロック５０は、その正方形の辺に平行ではなく、対角方向である斜め方向にして垂直ブロック４０の垂直壁４０Ｗに載っていることが解る。これらの蓋パネル５０は、垂直パネル４０上にセメント、モルタル等で接着してもよいが、単に載せただけであってもよい。なお、図示の形態では、周壁ブロック３０の隅部を除く位置にある垂直ブロック４０の中心（２つ又は４つの羽根形の垂直壁の接合部）に２つ又は４つの蓋ブロック５０の隅の尖端が位置するように蓋ブロック５０が載っているが、これらの蓋ブロック５０は、必ずしも垂直ブロック４０の中心に位置していなくてもよく、多少ずれて載っていてもよい。
【００２７】
このように、垂直ブロック４０は、異なる方向に延びる少なくとも２つの羽根形の垂直壁４０Ｗを有するため、その上に載って閉じる蓋パネル５０は、羽根形の垂直壁４０Ｗに斜めに載ることになるので、蓋ブロック５０は、その下面に分散された位置で受け止められて安定状態で支持され、平面的な１つの垂直壁をそれぞれ有するにすぎない２つの垂直ブロックの縁に跨って蓋パネルを載せる従来技術で生ずる傾向がある蓋パネルの外れを生ずることがない上に、蓋パネル５０は、その対角方向のように斜め方向に延びる垂直ブロック４０の垂直壁４０Ｗで受け止めて受け止め位置が分散されるため、蓋パネル５０の受け強度が大きくなり、蓋パネル５０の上に大きな荷重が掛ってもそれに充分に耐えることができる。
【００２８】
また、垂直ブロック４０は、平面的ではなく、放射状又はこれに近い形態であるので、複数の垂直ブロック４０を縦横に適宜の大きな間隔で配置することができ、従って少ない数の垂直ブロックでも大きな容量の貯水槽を組み立てることができる。
【００２９】
更に、垂直ブロック４０は、「Ｘ字」、「Ｔ字」、「Ｌ字」の如き単純な形状を有するので、成形用の型が簡単で、成形が容易である。
【００３０】
図１乃至図３、 図５の形態では、垂直ブロック４０の垂直壁４０Ｗは、全面が壁面であったが、図６（Ａ）（Ｂ）に示すように、貯水槽１０内の水の貫流を許すように、垂直壁４０Ｗに貫水孔４０Ｈを有することができる。図６（Ａ）の垂直ブロック４０は、「Ｘ字」状の垂直ブロック４２の羽根４０Ｂの交差部に貫水孔４０Ｈが設けられており、図６（Ｂ）の垂直ブロック４０は、各垂直壁４０Ｗに独立して貫水孔４０Ｈがアーチ状に形成されている。図４の一部に図６（Ａ）の形態の垂直ブロック４０が用いられているのが示されている。
【００３１】
このように、垂直ブロック４０の羽根形の垂直壁４０Ｗに貫水孔４０Ｈが設けられていると、雨水は、この貫水孔４０Ｈを通して貫流することができるので、雨水は、貯水槽１０内に効率よく貯留され、また排水されることができるので、好ましい。なお、この貫水孔４０Ｈは、「Ｘ」字状の垂直ブロックに限らず、「Ｔ」字状及び「Ｌ又はＶ」字状の垂直ブロックの羽根形の垂直壁４０Ｗにも設けることができる。
【００３２】
上記の実施の形態では、羽根の数が２乃至４であったが、５つ以上であってもよいことはもちろんである。これらの羽根は、放射方向に分散しているのが好ましいが、扇形その他の適宜の分岐形態とすることができる。また、底床敷設部２０や蓋パネル５０に対して安定性を増すために、垂直壁４２の上下の受け面を大きくした幅広部を有していてもよい。更に、図示の形態では、１つの正方形状の蓋パネル５０の各隅に４つの垂直ブロック４０の各羽根形の垂直壁４０Ｗが配置されているが、１つの蓋パネル５０が図２の蓋パネルの２倍又は４倍の面積を有する長方形又はより大きな正方形としてこの１つの大きな蓋パネルが６つ又は９つの垂直ブロック４０で受け止められるようにしてもよく、蓋パネル５０と垂直ブロック４０との関係は、図２、図４の形態に限定されない。
【００３３】
また、上記実施の形態では、１つの蓋ブロック５０が複数の垂直ブロック４０に跨って支持して取り付けられているが、１つの垂直ブロック４０のすべての羽根形の垂直壁４０Ｗの上に１つの蓋ブロック５０が載っていてもよい。これは、蓋ブロック５０を一層安定した状態で支持し取り付けるのに役立つ。
【００３４】
このような構成を更に発展させた構造が図７（Ａ）に示されており、この図７の構造では、垂直ブロック４０と蓋ブロック５０とを１対１で対応する構造において、１つの垂直ブロック４０のすべての羽根形の垂直壁４０Ｗに蓋ブロック５０が一体に成形されている。この垂直ブロック４０と蓋ブロック５０との結合体は、図７（Ｂ）に示すように、蓋ブロック５０が相互に接触するように組み立てて貯水槽１０を形成することができる。なお、図７（Ａ）の蓋ブロック５０に代えて底床ブロックを一体に形成してもよいし、また垂直ブロック４０の羽根形の垂直壁４０Ｗの上下端に一体に底床ブロックと蓋ブロックとを一体に成形してもよいし、また、複数の垂直ブロック４０と１つの蓋ブロック及び／又は底床ブロックを一体に成形してもよい。これらの場合には、１つ又は複数の垂直ブロック４０の上に１つの蓋ブロック５０又は底床ブロックが対応しているので、貯水槽１０の組み立て時には、隣り合う垂直ブロック４０は、間隔をあけることなく設置されることになる。
【産業上の利用可能性】
【００３５】
本発明によれば、垂直ブロックは、異なる方向に延びる少なくとも２つの羽根形の垂直壁を有するため、蓋ブロックは、その対角方向のように斜め方向に延びる垂直ブロックの垂直壁で受け止められるので、蓋パネルが垂直ブロックから外れる虞がない上に、蓋パネルの受け強度が大きくなり、蓋パネルの上に大きな荷重が掛ってもそれに充分に耐えることができ、高い産業上の利用性がある。
【符号の説明】
【００３６】
Ｇ  地中
ＧＢ  底（地面）
１０  貯水槽
２０  底床敷設部
２０Ｆ  底床敷設部の周縁
３０  周壁ブロック
３０Ｃ  隅部
４０  垂直ブロック
４０Ｈ  貫水孔
４０Ｕ  上面
４０Ｗ  垂直壁
４０Ｘ  「Ｘ字又は十字」状の垂直ブロック
４０Ｔ  「Ｔ字」状の垂直ブロック
４０ＴＨ  水平頂部
４０ＴＬ  脚部
４０Ｌ  「Ｌ又はＶ」字状の垂直ブロック
５０  蓋パネル
【図１】
2011122302.tif 000003
【図２】
2011122302.tif 000004
【図３】
2011122302.tif 000005
【図４】
2011122302.tif 000006
【図５】
2011122302.tif 000007
【図６】
2011122302.tif 000008
【図７】
2011122302.tif 000009